【手続補正書】
【提出日】平成17年9月5日(2005.9.5)
【手続補正１】
【補正対象書類名】明細書
【補正対象項目名】特許請求の範囲
【補正方法】変更
【補正の内容】
【特許請求の範囲】
【請求項１】  コンピュータネットワークを経て監視システムに接続されたネットワーク装置のための欠陥通知方法において、
ネットワーク装置の非動作状態の検出前に、ネットワーク装置の非動作状態を示すネットワークメッセージを構成し、
このネットワークメッセージを記憶し、
ネットワーク装置の非動作状態を検出し、そして
ネットワーク装置の非動作状態に応答してネットワークメッセージを監視システムに送信する
段階を備えたことを特徴とする方法。
【請求項２】  ネットワークメッセージを構成する段階は、ネットワーク装置の識別をそのメッセージに含ませることを含む請求項１に記載の欠陥通知方法。
【請求項３】  ネットワークメッセージを構成する段階は、ネットワーク装置のベンダーコードをそのメッセージに含ませることを含む請求項１に記載の欠陥通知方法。
【請求項４】  ネットワークメッセージを構成する段階は、ネットワーク装置の欠陥モードをそのメッセージに含ませることを含む請求項１に記載の欠陥通知方法。
【請求項５】  ネットワーク装置はクライアントコンピュータである請求項１に記載の欠陥通知方法。
【請求項６】  ネットワーク装置はネットワーク通信装置である請求項１に記載の欠陥通知方法。
【請求項７】  ネットワークメッセージをリセットまで連続的に送信することを更に含む請求項１に記載の欠陥通知方法。
【請求項８】  ネットワークメッセージを数分のデューティサイクルで送信することを更に含む請求項１に記載の欠陥通知方法。
【請求項９】  ネットワークメッセージを基本的な入力／出力システムメモリに記憶することを更に含む請求項１に記載の欠陥通知方法。
【請求項１０】  基本的な入力／出力システムを備え、オペレーティングシステムが適切に立ち上げれなかったときには監視システムへネットワークメッセージを送るため送信システムにネットワークメッセージをロードするよう中央プロセッサに指令することを更に含む請求項９に記載の欠陥通知方法。
【請求項１１】  ネットワーク装置の送信システムにネットワークメッセージをロードする補助プロセッサでネットワークメッセージを形成することを更に含む請求項１に記載の欠陥通知方法。
【請求項１２】  コンピュータネットワークプロトコールに基づいてネットワークメッセージは構成されている請求項１に記載の欠陥通知方法。
【請求項１３】  コンピュータネットワークを経て監視システムに接続されたネットワーク装置のための欠陥通知方法において、
ネットワーク装置が非動作状態であるとき、ネットワーク装置の非動作状態を示すネットワークメッセージを構成し、
このネットワークメッセージを記憶し、
オペレーティングシステム及び又は基本的な入力／出力システムにより他の仕方で指示されていなければ、ネットワーク装置の起動検出後所定時間ネットワークメッセージを送ることによりネットワーク装置の非動作状態を検出し通告する
段階を備えたことを特徴とする方法。
【請求項１４】  新しいネットワークメッセージを形成し、そして自己診断中中央プロセッシングユニットの故障検出に応答してその新しいネットワークメッセージを送ることを更に含む請求項１３に記載の欠陥通知方法。
【請求項１５】  コンピュータネットワークを経て監視システムに接続されたネットワーク装置のための欠陥通知方法において、
ネットワーク装置が非動作状態のとき、ネットワーク装置の非動作状態を示すネットワークメッセージを補助プロセッサで構成し、
このネットワークメッセージを記憶し、
ネットワーク装置の非動作状態を検出し、
補助プロセッサが低速バスを介して通信システムへネットワークメッセージを送信し、
そして
通信システムがネットワークメッセージを監視システムに送信する
段階を備えたことを特徴とする方法。
【請求項１６】  オペレーティングシステムにより他の仕方で指示されていなければ、ネットワーク装置の起動検出後所定時間ネットワークメッセージを補助プロセッサが送る段階を更に備えた請求項１５に記載の方法。
【請求項１７】  オペレーティングシステムの非動作状態を示すネットワークメッセージをオペレーティングシステムの非動作状態の検出前に構成するネットワーク装置の中央プロセッサを作動するオペレーティングシステム、
ネットワークメッセージを保持する不揮発性メモリ、そして
オペレーティングシステムの非動作状態に応答して監視システムにネットワークメッセージを送る送信システム
を備えたことを特徴とするネットワーク装置のための欠陥通知システム。
【請求項１８】  メッセージがネットワーク装置を識別する請求項１７に記載の欠陥通知システム。
【請求項１９】  メッセージがネットワーク装置のベンダーを認識特定する請求項１７に記載の欠陥通知システム。
【請求項２０】  メッセージがネットワーク装置の欠陥モードを認識特定する請求項１７に記載の欠陥通知システム。
【請求項２１】  ネットワーク装置はクライアントコンピュータである請求項１７に記載の欠陥通知システム。
【請求項２２】  ネットワーク装置はネットワーク通信装置である請求項１７に記載の欠陥通知システム。
【請求項２３】  リセットまでネットワークメッセージを連続的に送信する請求項１７に記載の欠陥通知システム。
【請求項２４】  ネットワークメッセージの送信のデューティサイクルが数分である請求項２３に記載の欠陥通知システム。
【請求項２５】  不揮発性メモリが基本的な入力／出力システムメモリを備える請求項１７に記載の欠陥通知システム。
【請求項２６】  オペレーティングシステムが適切に立ち上がれなかったときに監視システムへ送るため送信システムにネットワークメッセージをロードするよう中央プロセッサに指令する基本的な入力／出力システムを更に備える請求項１７に記載の欠陥通知システム。
【請求項２７】  不揮発性メモリは送信装置によりアクセスできる請求項１７に記載の欠陥通知システム。
【請求項２８】  送信システムはネットワークインターフエースカードを備える請求項２７に記載の欠陥通知システム。
【請求項２９】  送信システムにネットワークメッセージをロードする補助プロセッサを更に備える請求項１７に記載の欠陥通知システム。
【請求項３０】  補助プロセッサが中央プロセッサの動作を監視する請求項２９に記載の欠陥通知システム。
【請求項３１】  補助プロセッサが補助電源により付勢される請求項２９に記載の欠陥通知システム。
【請求項３２】  補助プロセッサがネットワーク装置の作動温度と電源が発生する電圧とを監視する請求項２９に記載の欠陥通知システム。
【請求項３３】  ネットワークメッセージがコンピュータネットワークプロトコールに基づいて構成されている請求項１７に記載の欠陥通知システム。
【請求項３４】  オペレーティングシステムの非動作状態を信号で知らせるネットワークメッセージを構成するネットワーク装置の中央プロセッサに作動するオペレーティングシステム、
ネットワークメッセージを保持する不揮発性メモリ、そして
オペレーティングシステムにより他の仕方で指示されていなければネットワーク装置の起動検出後所定時間不揮発性メモリにアクセスし、そしてネットワークメッセージを送る送信システム
を備えたことを特徴とするネットワーク装置のための欠陥通知システム。
【請求項３５】  オペレーティングシステムの非動作状態を示すネットワークメッセージを構成するネットワーク装置の中央プロセッサに作動するオペレーティングシステム、
ネットワークメッセージを保持する不揮発性メモリ、
ネットワーク装置の起動に応答してイネーブルされるタイミングシステム、そして
起動に応答して不揮発性メモリにアクセスし、そしてネットワークメッセージを搬送バッファにロードし、そしてオペレーティングシステムによりディスエーブルされていなくてタイミングシステムがタイムアウトとなればそのメッセージを送る送信システム
を備えたことを特徴とするネットワーク装置のための欠陥通知システム。
【請求項３６】  オペレーティングシステムの非動作状態を示すネットワークメッセージを構成するネットワーク装置の中央プロセッサに作動するオペレーティングシステム、
ネットワークメッセージを保持する不揮発性メモリ、そして
オペレーティングシステムの非動作状態に応答して不揮発性メモリにアクセスし、そしてネットワークメッセージを監視システムに送る送信システム
を備え、中央プロセシングユニットは新しいネットワークメッセージを形成し、そして自己診断中中央プロセシングユニットが欠陥を検出するとそれに応答してその新しいメッセージを送信システムが送ることを特徴とする欠陥通知システム。
【請求項３７】  オペレーティングシステムの非動作状態を示すネットワークメッセージを構成するネットワーク装置の中央プロセッサに作動するオペレーティングシステム、
ネットワークメッセージを保持する不揮発性メモリ、
オペレーティングシステムの非動作状態に応答してネットワークメッセージを監視システムに送る送信システム、そして
送信システムにネットワークメッセージをロードするため専用バスを介して送信システムの搬送バッファへそのメッセージを送る補助プロセッサ
を備えることを特徴とするネットワーク装置のための欠陥通知システム。
【請求項３８】  バスは集積相互結合型バスである請求項３２に記載の欠陥通知システム。
【請求項３９】  オペレーティングシステムの非動作状態を示すネットワークメッセージを構成するネットワーク装置の中央プロセッサに作動するオペレーティングシステム、
ネットワークメッセージを保持する不揮発性メモリ、
オペレーティングシステムの非動作状態に応答してネットワークメッセージを監視システムに送る送信システム、そして
送信システムにネットワークメッセージをロードする補助プロセッサ
を備え、この補助プロセッサはオペレーティングシステムにより他の仕方で指示されていなければネットワーク装置の起動検出後所定時間ネットワークメッセージの送信をトリガーすることを特徴とするネットワーク装置のための欠陥通知システム。
【請求項４０】  中央プロセシングユニット、周辺装置そして中央プロセシングユニットを周辺装置へ接続している主バスを含んでいるネットワーク装置のための欠陥通知システムにおいて、
副バス、
この副バスを介してネットワーク装置の欠陥状態を検出し、そしてその欠陥状態を知らせるネットワークメッセージを構成する補助プロセッサ、そして
副バスを介して搬送バッファーにてネットワークメッセージを受け、そして監視システムへそのメッセージを送る送信システム
を備えることを特徴とするネットワーク装置のための欠陥通知システム。
【請求項４１】  補助プロセッサが中央プロセッシングユニットの作動を監視する請求項４０に記載の欠陥通知システム。
【請求項４２】  補助プロセッサは補助電源により付勢される請求項４０に記載の欠陥通知システム。
【請求項４３】  補助プロセッサは、ネットワーク装置の動作温度と電源により発生した電圧とを監視する請求項４０に記載の欠陥通知システム。
【請求項４４】  中央プロセシングユニット、周辺装置そして中央プロセシングユニットを周辺装置へ接続している主バスを含んでいるネットワーク装置のための欠陥通知システムにおいて、
中央プロセシングユニットと直接連絡している集積相互接続型バス、
この集積相互接続型バスを介してネットワーク装置の欠陥状態を検出し、そしてその欠陥状態を知らせるネットワークメッセージを構成する補助プロセッサ、そして
監視システムにネットワークメッセージを送る送信システム
を備えることを特徴とするネットワーク装置のための欠陥通知システム。
【請求項４５】  中央プロセシングユニット、周辺装置そして中央プロセシングユニットを周辺装置へ接続している主バスを含んでいるネットワーク装置のための欠陥通知システムにおいて、
副バス、
この副バスを介してネットワーク装置の欠陥状態を検出し、そしてその欠陥状態を知らせるネットワークメッセージを構成する補助プロセッサ、そして
監視システムにネットワークメッセージを送る送信システム
を備え、中央プロセシングユニットを作動するオペレーティングシステムにより他の仕方で指示されていなければネットワーク装置の起動検出後所定時間ネットワークメッセージを補助プロセッサが送ることを特徴とするネットワーク装置のための欠陥通知システム。